(57)【要約】【課題】雨水排水管と竪樋を連結する呼び樋において、排水管の傾斜角度の大小にフレキシブルに対応して排水管と竪樋を水密に連結し、連結部分の外観を細くすっきりとしたものに収める。【解決手段】呼び樋を筒状の本体部（１）と、本体部（１）の側方へ突出した本体部（１）と一体又は別対の筒状の継手部（２Ｌ）から構成し、継手部内径を排水管受口（２３）の開口径よりも大きく設け、排水管受口（２３）の下側内面に本体部側へ突出した水返し片（２５）を設ける。本体部（１）を竪樋（Ｇ）に取り付け、継手部（２Ｌ）の排水管受口（２３）に建物の外壁（Ｗ）から突出した排水管（Ｄ）の端部を嵌め入れて排水管（Ｄ）と竪樋（Ｇ）とを連結する。【選択図】図３
2005146637.tif 000002
【特許請求の範囲】
【請求項１】
筒状の本体部と本体部の側方へ突出した筒状の継手部を有してなり、本体部を竪樋に取り付け、継手部の端面に形成された排水管受口に建物の外壁から突出した排水管の端部を嵌め入れて、排水管と竪樋を連結する呼び樋において、
継手部はその内径を排水管受口の開口径よりも大きく設けるとともに、排水管受口の下側内面に本体部側へ突出した水返し片を設けて形成してあることを特徴とする呼び樋。
【請求項２】
本体部と継手部を別体に設け、建物外壁と竪樋との設置間隔に応じた幅の継手部を本体部に取り付けることができるように構成された請求項１に記載の呼び樋。
【発明の詳細な説明】
【技術分野】
【０００１】
本発明は、陸屋根やバルコニーのルーフドレインと接続した雨水排水管と竪樋を連結する呼び樋の構造に関する。
【背景技術】
【０００２】
バルコニーに降った雨を排水するため、バルコニー上面にルーフドレインを設け、その排水口に排水管を接続し、排水管の端部を建物の外壁から引き出して竪樋に接続している。従来、排水管と竪樋の接続には、例えば図４に示されるように、呼び樋としてエルボ型の管継手４Ａや、或いは集水升４Ｂを用いて、排水管Ｄと竪樋Ｇを連結していた（例えば特許文献１参照）。
【０００３】
【特許文献１】実公平６−２２０２６号公報
【発明の開示】
【発明が解決しようとする課題】
【０００４】
排水管Ｄは、バルコニー側から建物の外側に突出した側の端部に向かって下方傾斜させて取り付けられるが、かかる傾斜角度は一定ではなく、施工現場により異なっているのが実状である。
そのため、前記図４（Ａ）エルボ型の管継手４Ａでは、管継手４Ａの両受口４Ａ１、４Ａ２を排水管Ｄと竪樋Ｇの端部に差し込むときに無理に強く押し込まなければならず、押し込んだときに連結部にかかるストレスで排水管Ｄと竪樋Ｇに管継手４Ａがいびつに曲がって接続し、外壁面の見栄えを悪くすることがあった。排水管Ｄの傾斜角度が大きい場合、施行現場で管継手４Ａの受口４Ａ１を削ったり、接合部分にできる隙間に充填材を埋めたりする処理が必要となることもあった。また、外壁Ｗと竪樋Ｇとの間隔の長短に対応させて、受口４Ａ１の長さの異なる管継手４Ａを複数個準備しておく必要もあった。
同図（Ｂ）に示す集水升４Ｂでは、排水管Ｄの端部周囲を広く覆うため、排水管Ｄの傾斜に起因する取り付けの不具合は生じないが、この場合の建物の外壁面は、竪樋Ｇの頂部に大きな集水升４Ｂが鎮座して集水升４Ｂが際立って目立つ外観となる。建物外壁面のデザイン上の要請から、排水管Ｄと竪樋Ｇの連結部分を細く且つすっきりと収めたいときには、集水升４Ｂを利用することができない。
【０００５】
本発明は従来技術の有するこのような問題点に鑑み、雨水排水管と竪樋を連結する呼び樋において、排水管の傾斜角度の大小にフレキシブルに対応して排水管と竪樋を水密に連結するとともに、連結部分の外観を細くすっきりとしたものに収めることを課題とする。
【課題を解決するための手段】
【０００６】
前記課題を解決するため本発明の呼び樋は、筒状の本体部と本体部の側方へ突出した筒状の継手部を有してなり、本体部を竪樋に取り付け、継手部の端面に形成された排水管受口に建物の外壁から突出した排水管の端部を嵌め入れて、排水管と竪樋を連結するように構成されていて、前記継手部が、その内径を排水管受口の開口径よりも大きく設けるとともに、排水管受口の下側内面に本体部側へ突出した水返し片を設けて形成してあることを特徴とする。
【０００７】
これによれば、先端に排水管受口が形成された呼び樋の継手部の内側は、排水管外径よりも大径の広い空洞部となる。従って、排水管の端部を排水管受口に嵌め入れたときに、排水管外周面と継手部内周面の間に空隙ができ、排水管周面が継手部内周面に衝突する傾斜角度の範囲まで、適宜に傾斜した排水管の端部を、連結部分にストレスを与えることなく継手部に接続することができる。また、排水管受口の下部に水返し片が設けてあるので、排水管から呼び樋内に流れ込んだ雨水が継手部先端側へ逆流することはなく、排水管受口と排水管の接合部分から外側へ流れ出ることを防止することができる。
【０００８】
前記構成において、本体部と継手部を別体に設け、建物外壁と竪樋との設置間隔に応じた幅の継手部を選択して本体部に取り付けることができるように構成することができる。すなわち、筒長の幅が大きいものと小さいものの、少なくとも二つの継手部を用意しておき、建物外壁と竪樋の間隔が大きいときは大幅の継手部、小さいときには小幅の継手部をそれぞれ本体部に取り付ければ、間隔に長短がある様々な建物に対応して、排水管と竪樋の連結が可能となる。この場合、本体部は共用可能であり、幅の異なる継手部を複数種形成しておけばよい。
【０００９】
前記構成において、排水管から呼び樋内に流れ込む雨水を竪樋に流下させ易くするため、継手部は、その本体部と連なる元端部から排水管が嵌まる先端部に亘って上方へ傾斜していることが好ましい。
また、本体部を、その胴部を竪樋と略同じ断面形状に形成し、上下両部に竪樋端部との接続部を設ければ、本体部を竪樋に取り付けたときに竪樋と一体化したすっきりとした外観形状のものとなり、排水管との連結部分が外観上目立たなくなる。
本体部の上部にさらに竪樋を接続した場合、上段竪樋を伝って雨水が本体部内に流れ落ちる。この場合、雨水が排水管内へ回り込むのを防止するため、本体部の側部開口面内に、開口面上縁から適宜な幅垂下した整流片を設けることが好ましい。
【発明を実施するための最良の形態】
【００１０】
本発明の好適な一実施形態を図面を参照して説明する。
図１は本発明の一実施形態の呼び樋の構成部材の外観斜視図、図２は構成部材を分離した状態の断面図、図３は図１の呼び樋で排水管と竪樋を連結した状態の断面図である。
【００１１】
図示されるようにこの呼び樋は、本体部１と、本体部１とは別体の幅の異なる継手部２Ｌ、２Ｓと、蓋部３とから構成されている。
【００１２】
本体部１は、接続すべき矩形角型の竪樋Ｇと略同じ断面形状の胴部１１を有する筒状をなし、その上部１２が竪樋Ｇの端部外周が内嵌合する大きさに開口し、下部１３に竪樋Ｇの端部内周が外嵌合するスカート部を設け、側部に継手部２Ｌ、２Ｓが接続する長円形の突リング１４を設けて形成してある。
突リング１４は胴部１１から上方に傾斜して突出しており、胴部１１に形成された開口１５を介して本体部１内側と突リング１４の開口面とを連通させてある。また、開口１５の上部は、胴部１１に沿って突リング１４の根元部から垂下した整流片１６よって逆Ｕ字形に縁取られており、つまり、開口１５は突リング１４の開口面よりも小さな長円形に形成されている。
また、本体部１の上部１２の対抗壁面には、蓋部３を固定する係止孔１７が設けてあり、内周面四隅には、上部開口に嵌め入れた竪樋Ｇの端部を支持するリブ１８が設けてある。
【００１３】
継手部２Ｌ、２Ｓは、それぞれ突リング１４と略同じ長円形の断面を有する筒状をなし、その元端部２１が突リング１４に外嵌合し得るように開口し、先端部２２の端面に排水管Ｄが略一杯に嵌入する円形の排水管受口２３を設けて形成してある。排水管受口２３は、その周縁をテーパ面によって内方傾斜させてあるとともに、その中心を、長円形に画される先端部端面の中心から上方へ偏倚させた位置に設けてある。また、先端部２２の周面には外方へ張り出した鍔部２４を設けてあり、また、排水管受口２３の下側内面に元端部２１側へ適宜な幅で略Ｕ字形に突出した水返し片２５を設けてある。
【００１４】
蓋部３は、本体部１の上面部１２を覆う矩形状をなし、中央に通孔３２を有する頂面３１の下部に、前記上面部１２に内嵌合する上段部３３と竪樋Ｇの端部に内嵌合する下段部３４とを一体に連ねて形成してある。上段部３３の対抗外面には、本体部１の係止孔１７に係合する突起３５を設けてある。通孔３２から滴下する雨水の落下音を抑えるため、頂面３１の隅部に通孔３２を設け、雨水が竪樋Ｇと本体部１の内面を伝うようにしてもよい。
【００１５】
このように形成された呼び樋は、図３に示されるように、本体部１の突リング１４に継手部２Ｌを一体に接続して構成され、排水管Dを排水管受口２３に嵌め入れ、竪樋Ｇの上端部を本体部１の下部１３に嵌着し、さらに外壁面を見栄え良くするなどの必要に応じて本体部１の上部１２に上段の竪樋Ｇを嵌着し、上段の竪樋Ｇの上端に蓋部３を嵌め込んで、排水管Ｄと竪樋Ｇとを連結する。各部材同士の接続部分は、接着剤により一体に固着される。
【００１６】
このとき、継手部２Ｌの内径が配水管受口２３の開口径よりも大きく、継手部２Ｌ内が広い空洞部となっているので、同図中に破線で示す如く傾きの大きな排水管Ｄも、ストレスを与えずに連結することができる。
また、継手部２Ｌ内に設けた水返し片２５により、排水管Ｄから呼び樋内に流れ込んだ雨水が継手部２Ｌの先端側へ逆流することを防止し、さらに、本体部１の側部開口面内に設けた整流片１６により、上段の竪樋Ｇと本体部１の内周面を伝って滴下する雨水が排水管Ｄ内へ回り込むことを防止するようになっている。また、継手部２Ｌの先端鍔部２４が建物外壁Ｗに接合することで、継手部２Ｌの上面に降る雨水が外壁Ｗに伝わることを防止するようになっている。
なお、建物外壁Ｗと竪樋Ｇとの間隔が小さい場合は、継手部２Ｌに代えて、幅の短い継手部２Ｓが取り付けられ、また、上段の竪樋Ｇを取り付けないときには、本体部１の上部１１に蓋部３が装着される。
【００１７】
図示した形態では、本体部と継手部を別体に設けたが、一体に成形されていていもよく、また、接続すべき竪樋が断面円形の丸型の場合、本体部はそれに合わせて断面円形に形成される。図示した呼び樋の形態は一例であり、本発明は他の適宜な形態で構成可能である。
【図面の簡単な説明】
【００１８】
【図１】本発明の一実施形態の呼び樋の構成部材の外観斜視図である。
【図２】図１の呼び樋の構成部材を分離した状態の断面図である。
【図３】図１の呼び樋で排水管と竪樋を連結した状態の断面図である。
【図４】（Ａ）、（Ｂ）は従来の呼び樋で排水管と竪樋を連結した状態の断面図である。
【符号の説明】
【００１９】
１  本体部、２Ｌ、２Ｓ  継手部、３  蓋部、Ｄ  排水管、Ｇ  竪樋、Ｗ  外壁
【図１】
2005146637.tif 000003
【図２】
2005146637.tif 000004
【図３】
2005146637.tif 000005
【図４】
2005146637.tif 000006